【手続補正書】
【提出日】平成20年4月22日(2008.4.22)
【手続補正１】
【補正対象書類名】特許請求の範囲
【補正対象項目名】請求項４
【補正方法】変更
【補正の内容】
【請求項４】
前記返却コイン収納保持手段は、前記料金コイン収納保持手段へのコインの収納に先立ち、前記コイン投入口に投入されたコインの一部を前記返却コインとして収納保持し、
前記料金コイン収納保持手段は、前記返却コイン収納保持手段が格納すべきコインを収納した後所定数に達するまで投入されるコインを料金コインとして収納保持し、
前記返却コイン収納保持手段は、前記返却操作に応じて収納保持しているコインを開放する
ことを特徴とする請求項３記載のコインロッカ用錠装置。
【手続補正２】
【補正対象書類名】明細書
【補正対象項目名】００１２
【補正方法】変更
【補正の内容】
【００１２】
請求項４記載のコインロッカ用錠装置は、請求項３記載のコインロッカ用錠装置において、前記返却コイン収納保持手段は、前記料金コイン収納保持手段へのコインの収納に先立ち、前記コイン投入口に投入されたコインの一部を前記返却コインとして収納保持し、
前記料金コイン収納保持手段は、前記返却コイン収納保持手段が格納すべきコインを収納した後所定数に達するまで投入されるコインを料金コインとして収納保持し、前記返却コイン収納保持手段は、前記返却操作に応じて収納保持しているコインを開放することを特徴とする。
【手続補正３】
【補正対象書類名】明細書
【補正対象項目名】００４６
【補正方法】変更
【補正の内容】
【００４６】
なお、シリンダ錠１ｉは、シリンダ錠１ｉの後端面を示す背面図である図９に示されるように、キー挿入孔に正規のキーが挿入されたとき、筒体１ｉ１に対して回転可能となるシリンダ軸１ｉ２を有し、このシリンダ軸１ｉ２の筒体１ｉ１から突出した後端部には、筒体１ｉ１に設けた突起１ｉ４と協働して筒体１ｉ１に対するシリンダ軸１ｉ２の回転角度を規制する回転規制板１ｉ３が固定されている。回転規制板１ｉ３には、突起１ｉ４の一対の側面１ｉ４１及び１ｉ４２にそれぞれ突き当たる一対の規制面１ｉ３１及び１ｉ３２が形成されている。一対の規制面１ｉ３１及び１ｉ３２は、図９（ａ）に示すキー挿抜自在位置にある施錠状態において、一対の側面１ｉ４１及び１ｉ４２の何れにも突き当たっておらず、規制面１ｉ３１が側面１ｉ４１に突き当たる図９（ｂ）の解錠状態に対応する位置まで例えば４２°の角度、規制面１ｉ３２が側面１ｉ４２に突き当たる図９（ｃ）に示す施錠待機状態に対応する位置まで例えば２０°の角度それぞれ矢印方向に回転可能となる位置に形成されている。シリンダ錠１ｉは、図９（ａ）に示す施錠状態に対応する位置以外の位置ではキーの引き抜きが不能となる。なお、図９に示したシリンダ錠では、シリンダ軸１ｉ２の後端部に固定した回転規制板１ｉ３の一対の規制面１ｉ３１及び１ｉ３２を筒体１ｉ１に設けた突起１ｉ４の一対の側面１ｉ４１及び１ｉ４２に突き当てるようにしているが、回転規制板１ｉ３を別途設けることなく、筒体のシリンダ軸挿入端側の内周にストッパ部を形成し、このストッパ部に対してシリンダ軸の前端外周に一体に形成した肩部を突き当てるようにしても同様のことが行える。
【手続補正４】
【補正対象書類名】明細書
【補正対象項目名】００５１
【補正方法】変更
【補正の内容】
【００５１】
施錠板保持片１０ｂのねじりコイルスプリング１０ｃの付勢力に抗する回動は、キー５によるシリンダ錠１ｉの回動操作によってシリンダ軸とともに回動される駆動板１０ａと施錠板保持片１０ｂとを連結する連結片１０ｄを介して施錠板保持片１０ｂに伝達されるシリンダ錠１ｉの回転操作力によって行われる。このために、連結片１０ｄの一端が、駆動板１０ａに突設された軸１０ａ１に回動自在に軸止され、他端に突設された連結ピン１０ｄ１が、施錠板保持片１０ｂに形成された軸１０ｂ２を中心とする円弧状の溝１０ｂ４に挿入されている。円弧状溝１０ｂ４内に挿入されている連結ピン１０ｄ１は、シリンダ錠１ｉが施錠状態及び解錠状態にあるとき、図１１及び図１２に示すように円弧状溝１０ｂ４内の一端に位置する。施錠板保持片１０ｂ上には、軸１０ｂ３に回動自在に軸止され、ねじりコイルスプリング１０ｅ１によって時計回転方向に付勢力が付与された移動規制片１０ｅが設けられている。移動規制片１０ｅは突設した軸１０ｅ２と円弧溝（図示せず）によって回動角度が制限されており、その先端部に、溝１０ｂ４内の一端にある連結ピン１０ｄ１を係止して連結ピン１０ｄ１の移動を規制する係止爪１０ｅ３を有する。
【手続補正５】
【補正対象書類名】明細書
【補正対象項目名】００８４
【補正方法】変更
【補正の内容】
【００８４】
また、この状態で所定数のコインがコイン収容部３０に収納されていないとき、揺動レバー２０ｃが自重によって反時計回転方向に揺動されて係合ピン２０ｃ１がロックレバー２０ｂの凹部２０ｂ２に係入され、ロックレバー２０ｂに時計回転方向の回転力が付与され、ロックレバー２０ｂのロックピン２０ｂ１が係止凹部２０ａ４１に係入された状態になっている。したがって、シリンダ錠１ｉの回動操作が規制された状態となっている。
【手続補正６】
【補正対象書類名】明細書
【補正対象項目名】００９８
【補正方法】変更
【補正の内容】
【００９８】
この場合には、解錠状態に対応するキー引き抜き不能位置にあるときに、返却コインを返却させる返却押ボタンの押圧操作を可能にし、返却コインの返却に応じてシリンダ錠１のキーによる回動操作ができなくなるように規制し、かつ、コイン投入口に投入した所定数のコインが収容されることによってシリンダ錠の回動操作の規制を解除し、この規制解除後のシリンダ錠の施錠状態に対応する位置への回動操作に応じて、収容されているコイ
ンの一部を返却コインとして残し、残部を料金コインとして回収し、以後解錠状態にあるき返却押ボタンの押圧操作によって返却コインの返却が行われるまで、シリンダ錠を繰り返し施解錠できるようにするようにしてもよい。
【手続補正７】
【補正対象書類名】明細書
【補正対象項目名】０１０７
【補正方法】変更
【補正の内容】
【０１０７】
【図１】コインロッカに組み込んだ本発明に係るコインロッカ用錠装置を示す正面図である。
【図２】施錠待機状態にある本発明に係るコインロッカ用錠装置の一実施の形態を示す正面図である。
【図３】施錠待機状態にある本発明に係るコインロッカ用錠装置の一実施の形態を示す斜視図である。
【図４】施錠状態にある本発明に係るコインロッカ用錠装置の一実施の形態を示す正面図である。
【図５】解錠状態にある本発明に係るコインロッカ用錠装置の一実施の形態を示す正面図である。
【図６】施錠待機状態にある錠装置の全体構成を、枠体の一部を破断して図３において矢印Ａ方向から見た側面図である。
【図７】施錠待機状態にある錠装置の全体構成を、枠体の一部を破断して図３において矢印Ｂ方向から見た背面図である。
【図８】施錠待機状態にある錠装置の全体構成を、枠体の一部を破断して図３において矢印Ｃ方向から見た底面図である。
【図９】シリンダ錠の後端面を示す背面図であり、（ａ）は施錠状態、（ｂ）は解錠状態、（ｃ）は施錠状態を示す。
【図１０】図７において一部の部材を除いて、施錠待機状態を示す背面図である。
【図１１】図７において一部の部材を除いて、施錠状態を示す背面図である。
【図１２】図７において一部の部材を除いて、開錠状態を示す背面図である。
【図１３】図６において一部の部材を除いて、返却押ボタンが押圧されて施錠待機状態を示す側面図である。
【図１４】図６において一部の部材を除いて、所定数のコインが投入された状態を示す側面図である。
【図１５】図６において一部の部材を除いて、解錠状態を示す側面図である。
【図１６】図６において一部の部材を除いて、施錠状態を示す側面図である。
【図１７】一部の部材を除くとともに一部を破断して、施錠待機状態を示す正面図である。
【図１８】一部の部材を除くとともに一部を破断して、施錠待機状態を示す背面図である。
【図１９】一部の部材を除いて、施錠待機状態を示す背面図である。
【図２０】一部の部材を除いて、解錠状態を示す背面図である。
【図２１】一部の部材を除くとともに枠体を部分的に破断して、解錠状態を示す側面図である。
【図２２】一部の部材を除いて、解錠状態を示す底面図である。
【図２３】一部の部材を除くとともに部分的に破断して、コイン返却時の状態を示す背面図である。
【図２４】一部の部材を除くとともに部分的に破断して、コイン返却時の状態を示す側面図である。
【図２５】一部の部材を除いて、コイン返却時の状態を示す底面図である。